(57)【要約】      （修正有）【課題】無線だけでなく有線を通じてデータを転送するモバイルルータを提供する。【解決手段】無線通信網を通じてデータを送受信する無線通信部１２０、無線インターネット網を通じてデータを送受信する無線インターネット部１３０、有線通信網を通じてデータを送受信する有線通信部、そして前記無線通信部、無線インターネット部、及び有線通信部からデータを受信して、前記データの宛先情報を読取って、前記宛先までの最短経路を把握して、前記無線通信部、無線インターネット部、または有線通信部に転送する選択部１１０を含むモバイルルータ１００を提供する。したがって、モバイルルータが無線及び有線通信と連結されて、無線だけでなく、有線を通じてデータを転送することによって、多様なサービスをサポートすることができる。また、複数のセンサーネットワークを通じて信号を受信して伝達データの幅が拡張できる。【選択図】図２
2014060715.tif 000002
【特許請求の範囲】
【請求項１】
無線通信網を通じてデータを送受信する無線通信部、無線インターネット網を通じてデータを送受信する無線インターネット部、及び有線通信網を通じてデータを送受信する有線通信部のうち、少なくとも２つの通信手段を有する通信部と、
前記無線通信部、無線インターネット部、または有線通信部からデータを受信して、前記データの宛先情報を読取って、前記宛先までの最短経路を把握して前記無線通信部、無線インターネット部、または有線通信部のうちの１つを選択する選択部と、
を含むことを特徴とする、モバイルルータ。
【請求項２】
前記無線通信部は、ＬＴＥ、３Ｇ、または４Ｇ通信網を通じてデータを送受信することを特徴とする、請求項１に記載のモバイルルータ。
【請求項３】
前記無線インターネット部はＷＩＦＩを通じてデータを送受信することを特徴とする、請求項１に記載のモバイルルータ。
【請求項４】
前記有線通信部は、
ＵＳＢ端子を通じてデータを送受信するＵＳＢポート部と、
有線インターネット通信網を使用するイーサネット部と、
データを音声データに変換して出力するアナログ音声通信部と、
を含むことを特徴とする、請求項１に記載のモバイルルータ。
【請求項５】
前記無線通信部は、
アンテナと連結されている前処理部と、
前記前処理部からデータパケットを受けて復調して基底データを生成する無線モジュール部と、
を含むことを特徴とする、請求項１に記載のモバイルルータ。
【請求項６】
前記選択部は、前記無線モジュール部から基底データを受信して、復号することを特徴とする、請求項５に記載のモバイルルータ。
【請求項７】
前記無線通信部は、
前記基底データを受信して復号を遂行する基底モジュールをさらに含むことを特徴とする、請求項５に記載のモバイルルータ。
【請求項８】
前記無線インターネット部は、前記選択部とＳＤＩＯインターフェースに連結されていることを特徴とする、請求項７に記載のモバイルルータ。
【請求項９】
前記基底モジュールは、ＱＡＭ（quadrature amplitude modulation）復調を遂行することを特徴とする、請求項７に記載のモバイルルータ。
【請求項１０】
前記モバイルルータは、
近距離通信網を通じて複数のセンサーにデータを送受信することを特徴とする、請求項１に記載のモバイルルータ。
【発明の詳細な説明】
【技術分野】
【０００１】
本発明は、モバイルルータに関するものである。
【背景技術】
【０００２】
一般に、モバイルルータはモバイル機器に搭載されているルータであって、受信されたデータパケットをどの線路を通じて乗せて送るかを決定し、転送する役割をする装置である。
【０００３】
このようなモバイルルータは複数の入力と複数の出力を有し、入力されたデータパケットに対して最適の出力を選択して送り出す。
【０００４】
このようなモバイルルータは図１のような構成を有する。
【０００５】
図１を参考すると、モバイルルータ１０は、周波数変換部、前記周波数変換部と連結されている無線通信部２、及び無線インターネット部５を含む。
【０００６】
無線通信部２は、複数のアンテナを通じてＬＴＥまたは３Ｇ無線通信網を用いて転送されるデータパケットを受信して変調する。
【０００７】
前記周波数選択部１は変調された前記データパケットを受信し、前記データパケットに含まれた受信部のアドレスを読取って最も適切な通信経路を探して転送する。
【０００８】
前記周波数選択部１の通信経路は、無線通信部から受信されたデータを再度通信部２を通じて送信することができ、これとは異なり、無線通信部２から受信されたデータを無線インターネット部５を通じて転送することもできる。
【０００９】
前記無線インターネット部５は、超高速近距離通信網であるＷＩＦＩ（登録商標）通信網を用いて前記データパケットを複数のアンテナを通じて送受信することができる。
【００１０】
前記複数のアンテナは互いに異なる周波数帯域を用いることができ、２．４ＧＨｚ、５ＧＨｚなどを使用することができる。
【００１１】
前記無線通信部２は、複数のアンテナと連結されている前処理部３と無線モジュール４から構成できる。
【００１２】
前処理部３は、アンテナと連結されている周波数フィルタ及び増幅器を含むことができ、無線モジュール４は前処理されたデータパケットを基底帯域のデータに変換し、復号を進行してデータを抽出する。
【００１３】
前記無線インターネット部５も定まった周波数を通じてデータを送受信するモジュール部６を含む。
【００１４】
このようなモバイルルータ１０は無線ネットワークのみを用いるので、有線網の内でデータトラフィックの活用度が落ちて、無線網の負荷が多くかかるようになる。
【発明の概要】
【発明が解決しようとする課題】
【００１５】
本発明の目的は、有無線ネットワークが利用できるモバイルを提供することにある。
【課題を解決するための手段】
【００１６】
本発明は、無線通信網を通じてデータを送受信する無線通信部、無線インターネット網を通じてデータを送受信する無線インターネット部、有線通信網を通じてデータを送受信する有線通信部、そして前記無線通信部、無線インターネット部、及び有線通信部からデータを受信して、前記データの宛先情報を読取り、前記宛先までの最短経路を把握して前記無線通信部、無線インターネット部、または有線通信部に転送する選択部を含むモバイルルータを提供する。
【発明の効果】
【００１７】
本発明によれば、モバイルルータが無線及び有線通信と連結されて無線だけでなく、有線を通じてデータを転送することによって、多様なサービスをサポートすることができる。
【００１８】
また、複数のセンサーネットワークを通じて信号を受信して伝達データの幅が拡張できる。
【００１９】
したがって、無線ネットワークのみに密集していたデータ転送を分散して無線通信の速度を向上させることができる。
【図面の簡単な説明】
【００２０】
【図１】従来のモバイルルータの構成図である。
【図２】本発明の実施形態に従うモバイルルータの一実施形態を示す構成図である。
【図３】図２のモバイルルータが適用された通信システムを示すものである。
【図４】本発明の実施形態に従うモバイルルータの他の実施形態を示す構成図である。
【発明を実施するための形態】
【００２１】
以下、添付した図面を参考にして本発明の実施形態に対して本発明が属する技術分野で通常の知識を有する者が容易に実施できるように詳細に説明する。しかしながら、本発明は多様な相異する形態に具現されることができ、ここで説明する実施形態に限定されるものではない。
【００２２】
明細書の全体で、どの部分がどの構成要素を“含む”とする時、これは特別に反対になる記載がない限り、他の構成要素を除外するものでなく、他の構成要素をさらに含むことができることを意味する。
【００２３】
本発明は、複数の通信方式を適用してモバイルルータ１００を通じて有無線通信を遂行するシステムを提供する。
【００２４】
以下、図２乃至図３を参考にして本発明の実施形態に従う通信システムを説明する。
【００２５】
図２は本発明の実施形態に従うモバイルルータ１００の一実施形態を示す構成図であり、図３は図２のモバイルルータ１００が適用された通信システムを示すものである。
【００２６】
図２を参考すると、本発明の実施形態に従うモバイルルータ１００は、選択部１１０、無線通信部１２０、無線インターネット部１３０、及び有線及びセンサー入力部１４０を含む。
【００２７】
無線通信部１２０は複数のアンテナ１２２を通じてＬＴＥまたは３Ｇ無線通信網を用いて転送されるデータパケットを受信して変調する。
【００２８】
前記選択部１１０は、変調された前記データパケットを受信し、これを復調して基底データを生成した後、前記基底データに含まれた受信部のアドレスを読取って最も適切な通信経路を探して転送する。
【００２９】
前記選択部１１０は、無線通信部１２０から受信された基底データをまた無線通信部１２０を通じて送信することができ、これとは異なり、無線通信部１２０から受信されたデータを無線インターネット部１３０を通じて転送することもできる。
【００３０】
前記選択部１１０は、無線通信部１２０から受信された基底データをまた無線インターネット部１３０または有線及びセンサー入力部１４０を通じて送信することができ、また有線及びセンサー入力部１４０から受信されたデータは無線インターネット部１３０を通じて転送することもできる。
【００３１】
また、前記選択部１１０は有線及びセンサー入力部１４０から受信されるデータを無線インターネット部１３０を通じて送信することができ、また有線及びセンサー入力部１４０から受信されるデータを無線通信部１２０を通じて必要の場合、サーバにデータを転送することができる。
【００３２】
前記無線インターネット部１３０は超高速近距離通信網であるＷＩＦＩ通信網を用いて前記データを複数のアンテナ１３２を通じて送受信することができる。
【００３３】
前記複数のアンテナ１３２は互いに異なる周波数帯域を用いることができ、２．４ＧＨｚ、５ＧＨｚなどを使用することができる。
【００３４】
前記無線通信部１２０は、複数のアンテナ１２２と連結されている前処理部１２１と無線モジュール１２３から構成できる。
【００３５】
前処理部１２１は、アンテナ１２２と連結されている周波数フィルタ及び増幅器を含むことができ、無線モジュール１２３は前処理されたデータパケットを基底帯域のデータに変換して出力する。
【００３６】
前記無線インターネット部１３０も定まった周波数を通じてデータを送受信するモジュール部１３１を含む。
【００３７】
有線及びセンサー入力部１４０は、ＵＳＢポート部１４１、イーサネット部１４３（イーサネットは登録商標）、及びアナログ音声通信部１４５を含む。
【００３８】
ＵＳＢポート部１４１はＵＳＢポートを通じて外部装備と送受信を遂行する有線通信モジュールであって、選択部１１０から転送されるデータをＵＳＢポートに挿入されたＵＳＢ端子を通じて外部装備に転送するか、外部装備からのデータを読み込む。
【００３９】
イーサネット部１４３は、有線近距離通信モジュールを含み、ＬＡＮ線との連結はＲＪ４５コネクタを通じて進行できる。
【００４０】
アナログ音声通信部１４５は、受信されるデータを音声データに変調してＲＪ１１コネクタを通じて転送する。
【００４１】
このように、有線及びセンサー入力部１４０は複数のインターフェースを含み、選択部１１０から受信されるデータを指定されたモジュールを通じて外部に転送するか、複数のモジュールから受信されたデータを選択部１１０に転送する。
【００４２】
図３を参考すると、前記モバイルルータ１００は外部のＬＴＥまたは３Ｇ／４Ｇの無線通信網２００を通じてデータを送受信し、ＷＩＦＩのような近距離無線インターネット網３５０を通じてデータを送受信することができる。
【００４３】
また、多様な有線通信網４５０を通じてデータを送受信することができ、その他のネットワーク５５０を通じてデータを送受信することができる。
【００４４】
例えば、ＬＴＥまたは３Ｇ／４Ｇの無線通信網２００を通じて基地局からデータを受信することができ、ＷＩＦＩ近距離通信網３５０を通じてノートブック、タブレットＰＣ、またはインターネット電話機などと送受信することができる。
【００４５】
また、有線通信網４５０のうち、イーサネット部１４３を通じて無線共有器と送受信が可能であり、アナログ音声通信部１４５を通じて電話機と送受信が可能である。
【００４６】
その他のネットワーク５５０は、ＲＦＩＤ通信網、ＮＦＣ、ジグビー（Zigbee）（登録商標）、Ｚ−ｗａｖｅ、またはブルートゥース（登録商標）などの近距離通信網であることがあり、これを通じてセンサー、カメラモジュールなどと送受信が可能であり、ＧＰＳ通信網を通じてＧＰＳ情報を送受信することができる。
【００４７】
このように、モバイルルータ１００が有無線通信網を全て適用してデータを受信し、データに記載されている宛先情報を読取って、宛先に最も適合した通信網を選択してデータを送信することによって、最適化されたデータ送受信が可能である。
【００４８】
図２では、モバイルルータが、無線通信部１２０、無線インターネット部１３０、及び有線及びセンサー入力部１４０を全部含むことと記載したが、これとは異なり、３個のうち、少なくとも２個の通信モジュールを含むことができる。
【００４９】
以下、図４を参考して、本発明の実施形態に従うモバイルルータ１００Ａの他の実施形態を説明する。
【００５０】
図４を参考すると、本発明の実施形態に従うモバイルルータ１００Ａは、選択部１５０、無線通信部１２０、無線インターネット部１３０、及び有線及びセンサー入力部１４０を含む。
【００５１】
無線通信部１２０は、複数のアンテナ１２２を通じてＬＴＥまたは３Ｇ無線通信網を用いて転送されるデータパケットを受信して復調及び復号を遂行して基底データを生成する。
【００５２】
前記選択部１５０は、プロセッサとして基底データを受信し、前記データに含まれた宛先のアドレスを読取って最も適切な通信経路を探して転送する。
【００５３】
前記選択部１５０は、無線通信部１２０から受信されたデータを再度無線通信部１２０を通じて送信することができ、これとは異なり、無線通信部１２０から受信されたデータを無線インターネット部１３０を通じて転送することもできる。
【００５４】
また、前記選択部１５０は無線通信部１２０または無線インターネット部１３０から受信されるデータを有線及びセンサー入力部１４０を通じて送信することができ、反対に、前記有線及びセンサー入力部１４０を通じて受信されるデータを無線通信部１２０または無線インターネット部１３０を通じて転送することもできる。
【００５５】
前記無線インターネット部１３０は、超高速近距離通信網であるＷＩＦＩ通信網を用いて前記データパケットを複数のアンテナ１３２を通じて送受信することができる。
【００５６】
前記複数のアンテナ１３２は互いに異なる周波数帯域を用いることができ、２．４ＧＨｚ、５ＧＨｚなどを使用することができる。
【００５７】
前記無線通信部１２０は、複数のアンテナ１２２と連結されている前処理部１２１、無線モジュール１２３、及び基底モジュール１２５から構成できる。
【００５８】
前処理部１２１は、アンテナと連結されている周波数フィルタ及び増幅器を含むことができ、無線モジュール１２３は、前処理されたデータパケットを基底帯域のデータに変換する。前記基底モジュール１２５は、ＱＡＭ（quadrature amplitude modulation）などのような復調を進行してデータを抽出する。
【００５９】
前記無線通信部１２０は、１つのＩＣで形成されることができ、モバイルルータ１００Ａの内にＵＳＢポートに連結できる。
【００６０】
前記無線インターネット部１３０も定まった周波数を通じてデータを送受信するモジュール部１３１を含み、無線インターネット部１３０は１つのＩＣで形成されることができ、モバイルルータ１００Ａの内にＵＳＢポートまたはＳＤＩＯを通じて選択部１５０と連結できる。
【００６１】
有線及びセンサー入力部１４０は、ＵＳＢポート部１４１、イーサネット部１４３、及びアナログ音声通信部１４５を含む。
【００６２】
ＵＳＢポート部１４１はＵＳＢポートを通じて外部装備と送受信を遂行する有線通信モジュールであって、選択部１５０から転送されるデータをＵＳＢポートに挿入されたＵＳＢ端子を通じて外部装備に転送するか、外部装備からのデータを読み込む。
【００６３】
イーサネット部１４３は有線近距離通信モジュールを含み、ＬＡＮ線との連結はＲＪ４５コネクタを通じて進行できる。
【００６４】
アナログ音声通信部１４５は、受信されるデータを音声データに変調してＲＪ１１コネクタを通じて転送する。
【００６５】
このように、有線及びセンサー入力部１４０は複数のインターフェースを含み、選択部１５０から受信されるデータを指定されたモジュールを通じて外部に転送するか、複数のモジュールから受信されたデータを選択部１５０に転送する。
【００６６】
以上、本発明の実施形態について詳細に説明したが、本発明の権利範囲はこれに限定されるものではなく、次の請求範囲で定義している本発明の基本概念を用いた当業者のさまざまな変形及び改良形態も本発明の権利範囲に属するものである。
【図１】
2014060715.tif 000003
【図２】
2014060715.tif 000004
【図３】
2014060715.tif 000005
【図４】
2014060715.tif 000006